(57)【要約】【課題】  液中に固定配置される電磁流量センサの着脱作業に係る手間を従来よりも軽減することが可能な電磁流量センサの液中取付構造及び取付方法の提供を目的とする。【解決手段】  本発明の電磁流量センサの液中取付構造によれば、貯水ピット３０の水面より上側に突出した固定シャフト２１の上端部とナット２２とを螺合操作することで、着脱ベース１２を液中ベース２７に着脱して、電磁流量センサ４１を液中に固定配置或いは液中から取り出すことができる。即ち、従来のように、電磁流量センサ４１を液中に固定配置する場合に、貯水ピット３０への水の流入を止め、さらに貯水ピット３０に蓄えられた水を抜き取るという作業が必要がないので、電磁流量センサ４１の着脱作業の手間が軽減される。【選択図】  図７
2007086033.tif 000002
【特許請求の範囲】
【請求項１】
液体を蓄えた液体貯留部に電磁流量センサを着脱可能に固定して、前記液体貯留部の液面下を流れる液体の流量を計測可能とする電磁流量センサの液中取付構造において、
前記液体貯留部の液面下に固定された液中ベースと、
上下方向に延びた複数のパイプを互いに平行に配置してパイプ固定部材で固定してなり、前記液中ベースの上面に載置されかつ常に上端部が前記液面より上方に配置される着脱ベースと、
前記着脱ベースの下端部に設けられて、前記電磁流量センサが固定された流量計固定部と、
前記液中ベースから上方に起立し、前記複数のパイプを貫通する複数の固定シャフトと、
前記固定シャフトのうち少なくとも前記パイプを貫通した部分に形成された上端螺合部と、
前記上端螺合部に螺合された雌螺子部材とからなることを特徴とする電磁流量センサの液中取付構造。
【請求項２】
前記電磁流量センサは、両端開放の計測筒体と、その計測筒体に磁界を生成するための電磁コイルと、前記計測筒体内を液体が流れたことにより発生した誘起電圧を検出する１対の検知電極とを備えてなることを特徴とする請求項１に記載の電磁流量センサの液中取付構造。
【請求項３】
前記パイプ固定部材は、上下方向で対向した天板と底板とからなり、それら天板と底板との間に前記複数のパイプが差し渡された状態に固定され、
前記底板は、前記流量計固定部に兼用されて、その底板の下面に前記電磁流量センサが固定され、
前記液中ベースには、前記電磁流量センサを通過可能なセンサ通過孔と、前記底板の一部を面当接可能な平坦部とが備えられたことを特徴とする請求項２に記載の電磁流量センサの液中取付構造。
【請求項４】
前記液体貯留部の液面下に液体が通過可能な流管を備えると共に、その流管の外面上部に前記液中ベースが固定され、前記センサ通過孔は、前記流管を内外に貫通したことを特徴とする請求項３に記載の電磁流量センサの液中取付構造。
【請求項５】
前記底板の上面でありかつ周りを前記複数のパイプによって囲まれた位置には、少なくとも前記１対の検知電極による検出信号を増幅して前記液面上にライン出力する信号処理部が固定されたことを特徴とする請求項３又は４に記載の電磁流量センサの液中取付構造。
【請求項６】
液体を蓄えた液体貯留部に電磁流量センサを着脱可能に固定して、前記液体貯留部の液面下を流れる液体の流量を計測可能とする電磁流量センサの液中取付方法において、
前記液体貯留部の液面下に固定された液中ベースから固定シャフトを立ち上げて液面上まで延ばし、その固定シャフトに上方から貫通させて前記液中ベースに載置した状態で上端部を常に液面上に露出させることが可能な着脱ベースを設けておき、
前記着脱ベースの下端部に前記電磁流量センサを固定しかつ前記固定シャフトの上端部に雌螺子部材を締め付けて前記電磁流量センサを液中に配置した状態に固定し、
前記固定シャフトから前記雌螺子部材を外して前記着脱ベースと共に前記電磁流量センサを液中から取り出し可能としたことを特徴とする電磁流量センサの液中取付方法。
【発明の詳細な説明】
【技術分野】
【０００１】
本発明は、液体を蓄えた液体貯留部のうち液面下を流れる液体の流量を測定可能とする電磁流量センサの液中取付構造及び液中取付方法に関する。
【背景技術】
【０００２】
図１４に示す従来の電磁流量センサの液中取付構造では、電磁流量センサ４を、貯水ピット３の水面下に固定配置された液中ベース５に取り付けていた。なお、本発明に関する先行技術文献は見つけることができなかった。
【発明の開示】
【発明が解決しようとする課題】
【０００３】
ところが、上述した従来の電磁流量センサの液中取付構造では、電磁流量センサ４と液中ベース５とを連結するための連結金具が、常時、水没している。このため、電磁流量センサ４と液中ベース５との着脱を行う場合には、貯水ピット３内への水の流入を止め、さらに貯水ピット３内の水を抜き取る必要があり、着脱作業に手間がかかっていた。
【０００４】
本発明は上記事情に鑑みてなされたものであって、液中に固定配置される電磁流量センサの着脱作業に係る手間を従来よりも軽減することが可能な電磁流量センサの液中取付構造及び取付方法の提供を目的とする。
【課題を解決するための手段】
【０００５】
上記目的を達成するためになされた請求項１の発明に係る電磁流量センサの液中取付構造は、液体を蓄えた液体貯留部に電磁流量センサを着脱可能に固定して、液体貯留部の液面下を流れる液体の流量を計測可能とする電磁流量センサの液中取付構造において、液体貯留部の液面下に固定された液中ベースと、上下方向に延びた複数のパイプを互いに平行に配置してパイプ固定部材で固定してなり、液中ベースの上面に載置されかつ常に上端部が液面より上方に配置される着脱ベースと、着脱ベースの下端部に設けられて、電磁流量センサが固定された流量計固定部と、液中ベースから上方に起立し、複数のパイプを貫通する複数の固定シャフトと、固定シャフトのうち少なくともパイプを貫通した部分に形成された上端螺合部と、上端螺合部に螺合された雌螺子部材とからなるところに特徴を有する。
【０００６】
請求項２の発明は、請求項１に記載の電磁流量センサの液中取付構造において、電磁流量センサは、両端開放の計測筒体と、その計測筒体に磁界を生成するための電磁コイルと、計測筒体内を液体が流れたことにより発生した誘起電圧を検出する１対の検知電極とを備えてなるところに特徴を有する。
【０００７】
請求項３の発明は、請求項２に記載の電磁流量センサの液中取付構造において、パイプ固定部材は、上下方向で対向した天板と底板とからなり、それら天板と底板との間に複数のパイプが差し渡された状態に固定され、底板は、流量計固定部に兼用されて、その底板の下面に電磁流量センサが固定され、液中ベースには、電磁流量センサを通過可能なセンサ通過孔と、底板の一部を面当接可能な平坦部とが備えられたところに特徴を有する。
【０００８】
請求項４の発明は、請求項３に記載の電磁流量センサの液中取付構造において、液体貯留部の液面下に液体が通過可能な流管を備えると共に、その流管の外面上部に液中ベースが固定され、センサ通過孔は、流管を内外に貫通したところに特徴を有する。
【０００９】
請求項５の発明は、請求項３又は４に記載の電磁流量センサの液中取付構造において、底板の上面でありかつ周りを複数のパイプによって囲まれた位置には、少なくとも１対の検知電極による検出信号を増幅して液面上にライン出力する信号処理部が固定されたところに特徴を有する。
【００１０】
請求項６の発明に係る電磁流量センサの液中取付方法は、液体を蓄えた液体貯留部に電磁流量センサを着脱可能に固定して、液体貯留部の液面下を流れる液体の流量を計測可能とする電磁流量センサの液中取付方法において、液体貯留部の液面下に固定された液中ベースから固定シャフトを立ち上げて液面上まで延ばし、その固定シャフトに上方から貫通させて液中ベースに載置した状態で上端部を常に液面上に露出させることが可能な着脱ベースを設けておき、着脱ベースの下端部に電磁流量センサを固定しかつ固定シャフトの上端部に雌螺子部材を締め付けて電磁流量センサを液中に配置した状態に固定し、固定シャフトから雌螺子部材を外して着脱ベースと共に電磁流量センサを液中から取り出し可能としたところに特徴を有する。
【発明の効果】
【００１１】
［請求項１及び６の発明］
請求項１及び６の発明によれば、電磁流量センサを液中に固定配置するには、着脱ベースに備えたパイプに、液中ベースから起立した固定シャフトを挿通させて着脱ベースを液中ベース上に載置してから、パイプを貫通して上方に突出した固定シャフトの上端螺合部に雌螺旋部材を締め付けることで、着脱ベースを雌螺旋部材と液中ベースとの間に挟持させる。これにより、着脱ベースの下端部に備えられた電磁流量センサが液中に固定配置され、液体貯留部の液面下を流れる液体の流量が検出可能となる。
【００１２】
また、電磁流量センサを液中から取り出す場合には、雌螺旋部材を緩めて固定シャフトから取り外し、次いで、着脱ベースの上端部を把持して上方へ引き上げて、パイプから固定シャフトを抜けばよい。これにより、電磁流量センサが着脱ベースと共に液中から取り出される。
【００１３】
このように、本発明によれば、液面より上側に配置された雌螺旋部材を操作することで、電磁流量センサを液中ベースに対して着脱できるので、従来のように、電磁流量センサを着脱する場合に液体貯留部への液体の流入を止めて、蓄えられた液体を抜き取るという作業が必要なくなり、着脱作業に係る手間が軽減される。
【００１４】
また、取り付け作業の過程で、パイプに固定シャフトが挿通されるので、固定シャフトがガイドとなって着脱ベースを確実に液中ベースまで案内することができ、液面下における電磁流量センサの位置決めができる。ここで、パイプと固定シャフトを複数ずつ設けることで、着脱ベースと液中ベースとの取付状態が安定する。
【００１５】
［請求項２の発明］
請求項２の構成によれば、液体が計測筒体を通過する際に発生した誘起電圧が検出される。ここで、計測筒体により液体の流れが安定するので、流量を安定して計測することができる。
【００１６】
［請求項３及び４の発明］
請求項３の構成によれば、着脱ベースが液中ベースの上面に載置されると、着脱ベースの底板と液中ベースの平坦部とが面当接すると共に、底板の下面に固定された電磁流量センサが、液中ベースのセンサ通過孔を通って、液中ベースの下方に配置される。そして、請求項４の構成によれば、電磁流量センサを、流管の内部の所定位置に配置することができる。
【００１７】
［請求項５の発明］
一般に、検知電極による誘起電圧の検出信号は微弱であるため、ノイズを受けるとその影響が大きいが、請求項５の発明によれば、ライン出力された検出信号がノイズを受けたとしても、検出信号対ノイズ比（Ｓ／Ｎ比）は比較的大きいから、ノイズの影響を抑えつつ流量を計測することができる。
【発明を実施するための最良の形態】
【００１８】
［第１実施形態］
以下、本発明の第１実施形態を図１〜図７に基づいて説明する。
図１における符号３０は、本発明の「液体貯留部」に相当する貯水ピットである。貯水ピット３０は、例えば、用水路３１と農地３２との間に設けられ、地中に埋め込まれた導水管３３，３４により用水路３１と農地３２のそれぞれに連絡している。通常、貯水ピット３０には一定量の水が貯留されており、その水面は用水路３１の水面とほぼ同じ高さとなっている。そして、この貯水ピット３０に、電磁式流量計４０が設置されている。
【００１９】
本実施形態の電磁式流量計４０は、図５に示すように流量計コントローラ４２と電磁流量センサ４１とからなる。流量計コントローラ４２は、電池４３（詳細には、リチウム電池）、コイル励磁回路４５、ＭＰＵ４７及び信号変換回路５０を、例えば、ステンレス製の防水ケース４８（図２を参照）の内部に収容した構造をなしている。また、ＭＰＵ４７には、信号ケーブル５１を介して水面より上側に設けられた表示装置５３が接続されている。なお信号ケーブル５１は、外部からのノイズを遮蔽するためのシールド構造を有していることが好ましい。
【００２０】
一方、電磁流量センサ４１は、図５に示すように、両端開放の計測筒体４９と、その計測筒体４９の側方から計測筒体４９を横切るように磁界を生成するための電磁コイル４４，４４と、前記磁界と直交する方向に対向配置された１対の検知電極４６，４６とを備えている。電磁コイル４４，４４及び検知電極４６，４６は、計測筒体４９を構成する壁体の内部に埋め込まれている。詳細には、計測筒体４９は、内管４９Ｃの外側に金属製の外管４９Ｂを備えた２重円管構造をなしており、内管４９Ｃと外管４９Ｂとの間には閉塞空間４９Ａが形成されている。電磁コイル４４，４４は、閉塞空間４９Ａ内に配置されて内管４９Ｃの外周面に固定されている。検知電極４６，４６は、閉塞空間４９Ａ内に配置されて、内管４９Ｃに貫通形成された電極固定孔に嵌合固定されている。電磁コイル４４，４４は、コイル励磁回路４５により励磁され、この状態で計測筒体４９内部の計測流路４９Ｒを液体が流れることで生じた誘起電圧が、１対の検知電極４６，４６によって検出される。検知電極４６，４６にて検出された誘起電圧は、信号変換回路５０により増幅及びＡ／Ｄ変換されて、ＭＰＵ４７に取り込まれる。ＭＰＵ４７は、誘起電圧に基づいて水の流量を計測し、その計測結果を信号ケーブル５１に出力する。そして計測結果は、液面上に設置された表示装置５３にて表示される。なお、本実施形態では、信号変換回路５０とＭＰＵ４７により本発明の「信号処理部」が構成されている。
【００２１】
ところで、貯水ピット３０の水面下には、上記した電磁式流量計４０を水中に固定配置するための液中ベース２７が固定されている。液中ベース２７は、両端開放の円筒構造をなした大径管２９（本発明の「流管」に相当する）の側面上部に一体に設けられている。大径管２９は、その一端に形成されたフランジ部２９Ｆを貯水ピット３０の壁面に突き当てた状態でボルト（図示せず）により固定され、導水管３３と連通している。また、図３及び図４に示すように、液中ベース２７は大径管２９の外周面から僅かに起立した筒壁２７Ａの上端部に矩形板状の平坦部２７Ｂを備えた構造をなし、その中央部には、大径管２９を内外に貫通したセンサ通過孔２９Ｋが形成されている。
【００２２】
図２に示すように、液中ベース２７（詳細には、平坦部２７Ｂ）の上面からは固定シャフト２１が起立している。固定シャフト２１は、例えば、４本設けられ、液中ベース２７の四隅に配置されている。固定シャフト２１の中間部から上端部にかけては雄螺旋部２１Ｎ（本発明の「上端螺合部」に相当する）が形成され、ここに金属製のナット２２（本発明の「雌螺旋部材」に相当する）が螺合可能となっている。この液中ベース２７に、次述する着脱ベース１２が着脱可能となっている。
【００２３】
着脱ベース１２は、上下方向で対向し共に矩形状をなした天板１３と底板１４との間に複数（例えば、４本）の円筒パイプ１５を差し渡した状態で固定した構造となっており、その上下方向の寸法が、固定シャフト２１より短くなっている。天板１３は、常に貯水ピット３０の水面よりも上方に配置される一方、底板１４は水中に配置されて液中ベース２７の平坦部２７Ｂの上面に宛がわれている（図１を参照）。また、円筒パイプ１５は、水面を上下方向に貫通しており（図１を参照）、その円筒パイプ１５の両端開口が天板１３及び底板１４の四隅に形成されている。そして、これら４本の円筒パイプ１５のそれぞれに固定シャフト２１が貫通して、その上端部にナット２２が螺合されている。
【００２４】
着脱ベース１２の底板１４には、前記した電磁式流量計４０が一体に設けられている。詳細には、図３に示すように、底板１４の上面には流量計コントローラ４２が固定され、底板１４の下面には電磁流量センサ４１が固定されている。即ち、底板１４は、本発明の「流量計固定部」に兼用されている。
【００２５】
図３に示すように、流量計コントローラ４２は底板１４の上面中央から僅かに起立した支持脚部１４Ｓの上端部に設けられ、底板１４の上面から僅かに浮いた状態に固定されている。また、流量計コントローラ４２は周囲を４本の円筒パイプ１５に囲まれている。
【００２６】
電磁流量センサ４１（計測筒体４９）は底板１４の下面中央から垂下した吊下支持部１４Ｔの下端部に設けられている。電磁流量センサ４１は、計測筒体４９の計測流路４９Ｒが大径管２９の貫通方向（図３における左右方向）と同一方向を向くように配置され、大径管２９の内部上端寄り位置に配置されている。なお、支持脚部１４Ｓ及び吊下支持部１４Ｔは共に中空構造をなして互いに連通しており、この連通空間に各種電気配線（具体的には、コイル励磁回路４５と電磁コイル４４とを接続した配線、検知電極４６，４６と信号変換回路５０とを接続した配線）が通されている。なお、一般に、電磁流量センサ４１（検知電極４６，４６）から出力される誘起電圧の検出信号は微弱であるため、外部ノイズの影響を受け易いが、本実施形態では、電磁流量センサ４１と流量計コントローラ４２とが近接配置されているので、検出信号に対する外部ノイズの影響を極力抑えることができる。本実施形態の構成に関する説明は以上である。
【００２７】
次に、電磁流量センサ４１の取り付け方法について説明する。電磁流量センサ４１を液中に固定配置する場合には、水面上に突出した４本の固定シャフト２１を、着脱ベース１２に備えた４本の円筒パイプ１５に挿通させ、着脱ベース１２をそのまま真っ直ぐ降下させる（図６を参照）。このとき、固定シャフト２１がガイドとなり、着脱ベース１２が液中ベース２７の上面に向かって確実に案内される。
【００２８】
着脱ベース１２の底板１４が水没して液中ベース２７に近づくと、底板１４の下面に固定された電磁流量センサ４１（計測筒体４９）がセンサ通過孔２９Ｋを通って大径管２９の内部に進入する。このときも、着脱ベース１２は、固定シャフト２１に案内されているから、取り付け過程で電磁流量センサ４１がセンサ通過孔２９Ｋの縁部に引っ掛かることはない。そして、液中ベース２７（詳細には、平坦部２７Ｂ）の上面に底板１４の下面が面当接されると、電磁流量センサ４１が大径管２９内部の所定位置（詳細には、大径管２９の軸心よりも上側位置）に配置される。このとき、着脱ベース１２の天板１３は水面より上側に配置され、固定シャフト２１の上端部に形成された雄螺旋部２１Ｎが、円筒パイプ１５の上端開口から天板１３の上方に突出する（図７を参照）。そして、この雄螺旋部２１Ｎにそれぞれナット２２を螺合してレンチなどを用いて締め付けることで、ナット２２と液中ベース２７との間に着脱ベース１２が挟持される。即ち、着脱ベース１２の下端部に備えた電磁流量センサ４１が水中に固定配置される。
【００２９】
また、例えば、メンテナンス等のために電磁流量センサ４１を液中から取り出す場合には以下のようである。即ち、固定シャフト２１の雄螺旋部２１Ｎに締め付けられたナット２２をレンチなどの工具で緩めて取り外し、着脱ベース１２の上端部分（例えば、天板１３）を持って真上に引き上げて、円筒パイプ１５から固定シャフト２１を抜けばよい。これにより、電磁流量センサ４１が、着脱ベース１２と共に水中から取り出される。このときも、着脱ベース１２は固定シャフト２１に案内されるから、取り外す過程で電磁流量センサ４１がセンサ通過孔２９Ｋの縁部に引っ掛かることが防止される。
【００３０】
このように本実施形態によれば、貯水ピット３０の水面より上側に突出した固定シャフト２１の雄螺旋部２１Ｎとナット２２とを螺合操作することで、着脱ベース１２を液中ベース２７に着脱して、電磁流量センサ４１を液中に固定配置或いは液中から取り出すことができる。即ち、従来のように、電磁流量センサ４１を液中に固定配置する場合に、貯水ピット３０への水の流入を止め、さらに貯水ピット３０に蓄えられた水を抜き取るという作業が必要がないので、電磁流量センサ４１の着脱作業の手間が軽減される。なお、貯水ピット３０への水の流入を止める必要がないから、電磁流量センサ４１の着脱作業中であっても、農地３２に水を供給することができる。これにより、農地３２への水の供給が中断できない場合でも、電磁流量センサ４１の着脱作業を必要なときに、必要な時間をかけて行うことができる。
【００３１】
［第２実施形態］
第２実施形態は、着脱ベースの構成を上記第１実施形態とは異なる構成としたものである。その他の構成については上記第１実施形態と同じであるため、同じ構成については、同一符号を付し、重複する説明は省略する。
【００３２】
図８に示すように、本実施形態の着脱ベース１２１の上端部には、４つの金属製の長板部材１３０を矩形枠状に連結した枠形固定部材１３１が備えられている。図１０に示すように、長板部材１３０は隣り合った円筒パイプ１５，１５同士の間に差し渡されており、互いに直交した２つの長板部材１３０，１３０同士の間が、略「Ｌ」字形の連結金具１３２とその両端部に螺合されたナット１３３，１３３とにより連結されている。そして、枠形固定部材１３１の四隅、即ち、各連結金具１３２の内側にそれぞれ円筒パイプ１５の上端部を挿入してナット１３３，１３３を締め付けることで、各円筒パイプ１５の上端部が枠形固定部材１３１に固定されている。
【００３３】
図８に示すように、底板１４１は円板形状をなし、４本の円筒パイプ１５は底板１４１の周方向で等間隔に配置されている。また、液中ベース２７の平坦部２７Ｂも、底板１４１に対応して円板形状をなし、この液中ベース２７（平坦部２７Ｂ）から起立した４本の固定シャフト２１が平坦部２７Ｂの周方向で等間隔に配置されている。
【００３４】
固定シャフト２１には、上記第１実施形態におけるナット２２に替えて、所謂、ノブナット２２１が螺合可能となっている。ノブナット２２１は、例えば、金属製のナットの外周を樹脂製の把持部材で覆った構造をなし、把持部材の周面にはローレット加工が施されている。これにより、工具を用いることなく直接、手で螺合操作することが可能となっている。また、図９に示すように、ノブナット２２１と長板部材１３０との間はワイヤー２２２で繋がれており、ノブナット２２１の貯水ピット３０への落下防止が図られている。
【００３５】
さらに、図９の（Ｂ）に示すように、吊下支持部１４Ｔを計測筒体４９の軸方向で挟んだ両側には、底板１４の下面と計測筒体４９の外周面との間を繋いだ１対の補強リブ１４２，１４２が設けられている。本実施形態によっても、上記第１実施形態と同等な効果を奏することができる。
【００３６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３７】
（１）電磁流量センサ４１を設置する場所は、貯水ピット３０に限らず、液体が蓄えられた場所、例えば、水路であってもよい。また、液体の種類も導電性を有する液体であれば水に限定するものではない。
【００３８】
（２）上記第１及び第２実施形態において、電磁式流量計４０は、所謂、一体形であって着脱ベース１２，１２１を液中ベース２７に固定したときに、流量計コントローラ４２が水没状態となっていたが、電磁式流量計４０を、所謂、分離形として、流量計コントローラ４２を水面よりも上側の所定位置（例えば、天板１３の上面）に配置してもよい。この場合、流量計コントローラ４２と電磁流量センサ４１との間を接続したケーブルは外部からのノイズを遮蔽可能なシールド構造を備えていることが好ましい。また、流量計コントローラ４２に、表示装置５３を一体に備えてもよいし、電池４３による電力供給に替えて、外部電源により電力を供給してもよい。このようにすれば、着脱ベース１２，１２１を液中ベース２７から取り外さなくても流量計コントローラ４２のメンテナンスが可能となる。
【００３９】
（３）さらに、流量計コントローラ４２のうち、信号変換回路５０のみを防水ケース４８内に収容すると共に、その他（電池４３、コイル励磁回路４５、ＭＰＵ４７）を水面より上側に設置された変換器ケース（図示せず）に収容して、信号変換回路５０とＭＰＵ４７との間を信号ケーブルで接続してもよい。この場合は信号変換回路５０が本発明の「信号処理部」に相当する。このとき、検知電極４６，４６で検出された微弱な誘起電圧の検出信号は、信号変換回路５０にて増幅されてから信号ケーブルに出力される。従って、信号ケーブルにより検出信号を伝送する過程でノイズを受けたとしても、検出信号対ノイズ比（Ｓ／Ｎ比）を比較的大きくすることができ、信号ケーブルを比較的長くすることも可能である。
【００４０】
（４）上記第１及び第２実施形態において液中ベース２７は、大径管２９に一体に形成されていたが、大径管２９はなくてもよい。例えば、液中ベース２７の平坦部２７Ｂの下面から複数の固定脚部を垂下させて、その固定脚部の下端を貯水ピットや水路等の底部に固定すればよい。
【００４１】
（５）上記第１及び第２実施形態では、液中ベース２７の上面に底板１４を面当接させていたが、液中ベース２７と底板１４との間にシール用のパッキンを挟んでもよい。
【００４２】
（６）固定シャフト２１及び円筒パイプ１５は、４本以外の複数本ずつ備えていてもよい。
【００４３】
（７）図１１に示すように、例えば、大径管２９を構成する壁体の側面を蒲鉾状に切除して形成された陥没部分を液中ベース２７１として、ここに着脱ベース１２の底板１４が嵌合するようにしてもよい。
【００４４】
（８）上記第１及び第２実施形態において、電磁流量センサ４１は計測筒体４９を有していたが、計測筒体４９を有しない構造としてもよい。具体的には、図１２に示すように電磁流量センサ２０は、底板１４の下面から垂下した軸形構造をなし、その軸方向の途中部分に図示しない電磁コイルを内蔵している。これにより電磁流量センサ２０の先端面から大径管２９内に向けて磁界を発生させることができる。電磁流量センサ２０の先端部には、電磁流量センサ２０の径方向に並んで配置された１対の検知電極４６，４６（図１２には、一方の検知電極４６のみが示されている）が内蔵されており、それら検知電極４６，４６の先端が、電磁流量センサ２０の先端面から露出して大径管２９内の液体に接触可能となっている。これら検知電極４６，４６により、前記励磁コイルが発生した磁界中を水が通過することで生じた誘起電圧が検出される。
【００４５】
（９）上記第２実施形態では、ノブナット２２１と長板部材１３０との間をワイヤー２２２で繋いでいたが、図１３に示すように、ノブナット２２１の周面に溝２２１Ｍを形成しておき、ワイヤー２２２の端部に備えたＣリング２２２Ｃを、この溝２２１Ｍに相対回転可能に係合させておけば、ノブナット２２１の回転操作時に、ワイヤー２２２がノブナット２２１や固定シャフト２１に巻き付くことが防止される。
【図面の簡単な説明】
【００４６】
【図１】本発明の第１実施形態に係る電磁流量センサの取り付け状態を示す図
【図２】着脱ベース及び液中ベースの斜視図
【図３】液中ベースに取り付けられた着脱ベースの側面図
【図４】液中ベースに取り付けられた着脱ベースの正面図
【図５】電磁流量計のブロック図
【図６】取り付け過程における着脱ベースの側面図
【図７】取り付け過程における着脱ベースの側面図
【図８】第２実施形態に係る着脱ベース及び液中ベースの斜視図
【図９】（Ａ）着脱ベースの正面図、（Ｂ）着脱ベースの側面図
【図１０】着脱ベースの平面図
【図１１】他の実施形態（７）に係る着脱ベース及び液中ベースの斜視図
【図１２】他の実施形態（８）に係る着脱ベース及び液中ベースの側断面図
【図１３】他の実施形態（９）に係るノブナットの斜視図
【図１４】従来の電磁流量センサの取り付け状態を示す図
【符号の説明】
【００４７】
１２，１２１    着脱ベース
１３    天板（パイプ固定部材）
１４，１４１    底板（パイプ固定部材）
１５    円筒パイプ（パイプ）
２０，４１電磁流量センサ
２１    固定シャフト
２１Ｎ    雄螺旋部（上端螺合部）
２２    ナット（雌螺旋部材）
２７    液中ベース
２７Ｂ  平坦部
２９    大径管（流管）
２９Ｋ    センサ通過孔
３０    貯水ピット（液体貯留部）
４２    流量計コントローラ
４４    電磁コイル
４５    コイル励磁回路
４７    ＭＰＵ
４６，４６    検知電極
４９    計測筒体
２２１    ノブナット（雌螺旋部材）
【図１】
2007086033.tif 000003
【図２】
2007086033.tif 000004
【図３】
2007086033.tif 000005
【図４】
2007086033.tif 000006
【図５】
2007086033.tif 000007
【図６】
2007086033.tif 000008
【図７】
2007086033.tif 000009
【図８】
2007086033.tif 000010
【図９】
2007086033.tif 000011
【図１０】
2007086033.tif 000012
【図１１】
2007086033.tif 000013
【図１２】
2007086033.tif 000014
【図１３】
2007086033.tif 000015
【図１４】
2007086033.tif 000016